(57)【要約】【課題】  軽量で容易に持ち運ぶことができ、設置作業の労力を低減した越水防止装置を提供する。【解決手段】  防水シートにより構成され、内部に水を収容する空間が形成された本体２１，２２，２３を備える。本体２１，２２，２３には、水を注入するための注水口２１ａと、水を排出するための排水口２１ｂとが形成されている。本体２１，２２，２３の両端部には、長手方向に隣接して配された越水防止装置２０と接続するための接続手段が設けられている。本体２１，２２，２３の内部には、本体２１，２２，２３の長手方向と略直交する方向に配され、本体の断面形状を三角形に拘束する、複数の形状保持膜２４が設けられている。そして内部に水が注入された複数の越水防止装置２０を接続手段により一列に接続して載置する。【選択図】  図２
2011099315.tif 000002
【特許請求の範囲】
【請求項１】
越水を防止するために設置される越水防止装置において、
膜材により構成され、内部に水を収容する空間が形成された本体と、
前記本体に形成された注水口、及び排水口と、
前記本端の両側部に設けられ、長手方向に隣接して配された前記越水防止装置を接続する接続手段と、
前記本体内部に前記長手方向と略直交する方向に配された形状保持膜と、を備え、
前記形状保持膜は、その外周が前記本体の内周面と接続されていることにより、内部に水が注入された前記本体の断面形状を自身の形状に拘束し、
内部に注入された複数の前記越水防止装置が前記接続手段により一列に接続されて、越水を防止することを特徴とする越水防止装置。
【請求項２】
前記越水防止装置の断面形状は、略三角形であることを特徴とする請求項１に記載の越水防止装置。
【請求項３】
前記形状保持膜は、所定の間隔をあけて複数枚設けられており、
複数枚設けられた前記形状保持膜には、前記本体内部に注入された水を通過させる通水孔が形成されていることを特徴とする請求項１又は請求項２に記載の越水防止装置。
【請求項４】
前記形状保持膜は、三角形の各頂点がカットされており、
前記形状保持膜のカット部により前記通水孔が形成されていることを特徴とする請求項１乃至３のいずれか１項に記載の越水防止装置。
【請求項５】
一列に接続された複数の前記越水防止装置のうち、所定基数の前記越水防止装置の前記注水口と隣接する前記越水防止装置の前記排水口とが注排水ホースで接続されることにより、隣接する前記越水防止装置間で通水が可能となっていることを特徴とする請求項１に記載の越水防止装置。
【請求項６】
前記接続手段は、間隔をあけて平行に配された前記越水防止装置に取り付けられた取付部と、前記取付部を接続する複数の紐体とを有するラダーベルトを有し、
隣接する前記越水防止装置の前記紐体が所定の間隔ごとに結束されていることを特徴とする請求項１に記載の越水防止装置。
【請求項７】
前記越水防止装置は、上部が下部に比べ長手方向に長く製作されていることを特徴とする請求項１乃至６のいずれか１項に記載の越水防止装置。
【発明の詳細な説明】
【技術分野】
【０００１】
本発明は、洪水時に堤防天端等に運ばれて設置され、越水をせき止める越水防止装置に関する。
【背景技術】
【０００２】
従来、堤防の越水対策としては、堤防自体を高規格のものに改修したり、河川の増水時に堤防の天端に土嚢を積みあげて越水を防止する土嚢工が採用されてきた。高規格な堤防に改修する場合、越水対策として恒久的な対策となりうるが、改修費用がかかり施工できる範囲は限られたものとなる。また、土嚢工は、土嚢を積み上げる作業に多くの人員を必要とし、手間と時間を費やすという問題がある。
【０００３】
このような、堤防の越水対策としては、様々な工法や装置が開発されている。特許文献１には、垂直方向に延在する壁で構成される枠体を複数連設させた越水防止装置が開示されている。この越水防止装置は、構成が簡単で軽量であるため、河川の増水時に容易かつ敏速に設置作業を行うことができる。また、特許文献２には、歩行者や自転車のための防護柵を、水をせき止める防水柵として機能させる防水防護柵が開示されている。この防水防護柵は、通常の使用時には、一部の堰板を跳ね上げておくことで閉塞感を与えることがなく、また、河川が増水して洪水のおそれがあるときは、跳ね上げた堰板を人力で下ろすことにより、防水機能を発揮することができる。
【先行技術文献】
【特許文献】
【０００４】
【特許文献１】特開２００８−３０３６６４号公報
【特許文献２】特開２００１−１８２０２７号公報
【発明の概要】
【発明が解決しようとする課題】
【０００５】
しかしながら、特許文献１に記載の越水防止装置は、軽量な材料から構成されているものの、設置距離が長くなるとパネル材等の総重量は相当重くなる。また、堤防天端での組み立て作業にも手間と時間を費やしてしまう。
【０００６】
また、特許文献２に記載の防水防護柵は、越水防止効果を得るために歩行者や自転車のための防護柵を必要としない箇所にも設置しなければならず、渇水期等に防水機能を発揮させる必要がないときであっても、常に堤防の天端に設置されていることとなる。そのため、河川の利用に支障をきたすと共に、景観を悪化させるという問題がある。
【０００７】
本発明は、このような問題点を解決するためになされたものであり、越水防止装置をより軽量、かつ容易に持ち運ぶことができる構成にするとともに、設置作業の労力を低減することができる越水防止装置を提供することを目的とする。
【課題を解決するための手段】
【０００８】
上記目的を達成するため、本発明に係る越水防水装置は、越水を防止するために設置される越水防止装置において、膜材により構成され、内部に水を収容する空間が形成された本体と、前記本体に形成された注水口、及び排水口と、前記本端の両側部に設けられ、長手方向に隣接して配された前記越水防止装置を接続する接続手段と、前記本体内部に前記長手方向と略直交する方向に配された形状保持膜と、を備え、前記形状保持膜は、その外周が前記本体の内周面と接続されていることにより、内部に水が注入された前記本体の断面形状を自身の形状に拘束し、内部に注入された複数の前記越水防止装置が前記接続手段により一列に接続されて、越水を防止することを特徴とする。
【０００９】
前記越水防止装置の断面形状は、略三角形としてもよい。
【００１０】
また、前記形状保持膜は、所定の間隔をあけて複数枚設けられており、複数枚設けられた前記形状保持膜には、前記本体内部に注入された水を通過させる通水孔を形成してもよい。
【００１１】
また、前記形状保持膜は、三角形の各頂点がカットされており、前記形状保持膜のカット面により前記通水孔を形成してもよい。
【００１２】
また、一列に接続された複数の前記越水防止装置のうち、所定基数の前記越水防止装置の前記注水口と隣接する前記越水防止装置の前記排水口とが注排水ホースで接続されることにより、隣接する前記越水防止装置間で通水を可能としてもよい。
【００１３】
また、前記接続手段は、間隔をあけて平行に配された前記越水防止装置に取り付けられた取付部と、前記取付部を接続する複数の紐体とを有するラダーベルトを有し、隣接する前記越水防止装置の前記紐体を所定の間隔ごとに結束してもよい。
【００１４】
また、前記越水防止装置は、上部が下部に比べ長手方向に長く製作されてもよい。
【発明の効果】
【００１５】
本発明によれば、より軽量で容易に持ち運ぶことができるとともに、設置作業の労力を低減できる越水防止装置を提供することができる。
【図面の簡単な説明】
【００１６】
【図１】本発明の第１の実施形態に係る越水防止装置が、堤防の天端に設置されている様子を示した斜視図。
【図２】本発明の第１の実施形態に係る越水防止装置を示した斜視図。
【図３】本発明の第１の実施形態に係る越水防止装置を長手方向から見た側面図。
【図４】本発明の第１の実施形態に係る越水防止装置により水がせき止められている様子を示した断面図。
【図５】本発明の第２の実施形態に係る越水防止装置を示した斜視図。
【図６】本発明の第３の実施形態に係る越水防止装置を示した斜視図。
【図７】本発明の第３の実施形態に係る１基の越水防止装置に着目した詳細図であり、（ａ）は斜視図、（ｂ）は図７（ａ）中の“ｂ”部の側面図。
【図８】本発明の第３の実施形態に係る越水防止装置の接続部に着目した側面図。
【図９】本発明の第３の実施形態に係る越水防止装置に水が注入された際の形状を示した図であり、（ａ）は側面図、（ｂ）は平面図。
【図１０】本発明の第３の実施形態に係る越水防止装置に水が注入された際の、隣接する越水防止装置の接続部に着目した側面図。
【図１１】本発明の第４の実施形態に係る越水防止装置を示した図であり、（ａ）は側面図、（ｂ）は平面図。
【図１２】本発明の越水防止装置に設けられた流木対策工の一例を示した側面図。
【発明を実施するための形態】
【００１７】
以下、本発明の実施形態に係る越水防止装置を図面を参照して説明する。
【００１８】
図１は、本発明の第１の実施形態に係る越水防止装置が、堤防の天端に設置されている様子を示した斜視図であり、図２は、第１の実施形態に係る越水防止装置の斜視図であり、図３は、第１の実施形態に係る越水防止装置を長手方向から見た側面図である。越水防止装置２０は、堤防１０の天端に沿った所定の区間に設置されるが、図１においては図面の都合上、越水防止装置２０が設置された堤防１０の一部区間のみを図示している。また、図２は、越水防止装置２０の内部構造を示すため、越水防止装置２０の外面を構成する部材を一部省略している。
【００１９】
図１に示すように、河川１５の岸には盛土でかさ上げされた堤防１０が築造されており、洪水による氾濫や陸域の侵食の防止が図られている。このような堤防１０の天端は、一般に、マラソンコースやサイクリングコースなど、人々のレクリエーションの場として活用されている。そのため、本実施形態に係る越水防止装置２０は、洪水の恐れがある場合にのみ堤防１０の天端に設置され、洪水の恐れがない場合は、河川利用者の支障となることがないように、撤去され倉庫等に保管される。
【００２０】
越水防止装置２０は、図に示すように、複数の越水防止装置２０が一列に接続されて堤防１０の天端に設置される。詳細は後述するが、各越水防止装置２０内は河川１５から導かれた水で満たされており、これらの水の重量により越水防止装置２０の下面と堤防１０の天端との間に十分な摩擦抵抗が得られている。
【００２１】
ここで、越水防止装置２０の構造について具体的に説明する。図２、図３に示すように、越水防止装置２０は、長手方向から見て三角形の断面形状が形成されるように、２枚の側膜２１と１枚の底膜２２とが貼り合わされており、その両端部には、三角形に形成された密閉膜２３が設けられて、本体部が形成されている。このように形成された越水防止装置２０の本体内部には、後述する形状保持膜２４に仕切られた複数の収容空間３０が形成される。この収容空間３０は、外部から注入された水を収容する空間である。また、越水防止装置２０の内部には、三角形状の形状保持膜２４が間隔をあけて複数枚設けられている。この形状保持膜２４は、その外周が越水防止装置２０本体の内周面に接続されている。そのため、越水防止装置２０に水が注入され膨張する際、複数の形状保持膜２４は、それぞれの取り付け位置で越水防止装置２０の断面形状を自身の形状である三角形に拘束しようとする。これにより、図２に示すように、内部に水が注入された越水防止装置２０の断面形状は、全長にわたって略三角形となる。なお、形状保持膜２４には、その中央下端部に半円の通水孔２４ａが形成されている。そのため、注水口２１ａから注入された水は、この通水孔２４ａを通り、越水防止装置２０の複数の収容空間３０に行き渡らせることができる。形状保持膜２４は、合成樹脂シート材料以外に合成樹脂紐を編んだ所定目合いの網状体（ネット）を三角形状とし、その外周を帯状のテープで保形し、このテープを介して網状体を越水防止装置２０本体の内周面に接続してもよい。この場合には、各収容空間３０間の通水がきわめて円滑になるとともに、越水防止装置２０を畳んだときの厚さを薄くすることができる。
【００２２】
越水防止装置２０を形成する側膜２１、底膜２２、密閉膜２３、及び形状保持膜２４は、例えば、ポリエステル系の織布に塩化ビニル樹脂が含浸コーティングされた被覆層を有する、厚さが０．５mm程度の防水シートから構成されている。そのため、側膜２１等の膜体自体は非常に柔らかく折り曲げ自在な材料であり、このような膜体から形成された越水防止装置２０も柔軟で、かつ軽量なものである。そのため、越水防止装置２０を使用しない場合には、小さく折り畳んで倉庫等に保管することが可能であり、搬出入の際も容易に持ち運びすることが可能である。防水シートは越水防水装置２０の使用部位や規模にもよるが、重量は６kg/m程度、生地強度は１９６２N/3cm以上、厚さは耐久性を考慮して０．５〜２．０mm程度とし、好ましくは０．５〜１．０mm程度とすることが好ましい。また、基布としては、ポリエステル系の他、ポリアミド系、ポリアラミド系、ポリビニルアルコール系又はオレフィン系樹脂の合成繊維糸やケナフ等の天然繊維糸の織布を用いることができる。また、被覆層としては、フッ素樹脂、塩化ビニル樹脂、ポリウレタン樹脂、クロロプレンゴム、クロロスルフォン化ポリエチレンゴム又はオレフィン樹脂等で構成してもよい。
【００２３】
また、図２に示すように、側膜２１の中央付近には、河川１５等から導いた水を注入するための注水口２１ａと、越水防止装置２０の内部に満たされた水を排出するための排水口２１ｂとが形成されている。注水口２１ａは、越水防止装置２０の側膜２１の上方に設けられており、水を送り出すためのポンプ（不図示）と接続可能なプラグが取り付けられている。また、排水口２１ｂは、越水防止装置２０の内部に満たされた水が自然に排出されるように、側膜２１の下方に設けられている。なお排水口２１ｂには、流路の開閉を行うためのコック（不図示）が取り付けられている。なお、注水口２１ａは側膜２１の下方に設けると、注水時の越水防止装置２０が注水に応じて自立することができる。この場合には、注水口２１ａを側膜２１下方の一方の隅部、排水口２１ｂを側膜２１下方の他方の隅部に設置してもよい。
【００２４】
さらに、図２に示すように、側膜２１には、隣り合う越水防止装置２０と接続するためのファスナ２５が取り付けられている。このファスナ２５には、一般に使用されている防水性のファスナを用いることができる。このように、ファスナ２５を用いて越水防止装置２０を接続することができるため、所定の長さに接続した越水防止装置２０を簡単に形成することができる。また、防水性のファスナが使用されることにより、接続部からの漏水を防止することができる。上述した、スライダを移動させて接合切り離しを行うファスナと同等の機能を有する接続部材として、いわゆる面ファスナ（たとえばマジックテープ、ベルクロテープ（登録商標））を用いて越水防止装置２０同士を接続してもよい。
【００２５】
次に、このような越水防止装置２０の設置手順について具体的に説明する。
【００２６】
河川１５が増水して洪水の恐れがあると判断すると、倉庫等に保管されている複数の越水防止装置２０を堤防１０の天端まで搬出する。そして、搬出した越水防止装置２０を、その長手方向が堤防１０に沿うように並べていく。次に、上述したファスナ２５を用いて越水防止装置２０を接続し、一連の越水防止装置を形成する。なお、この段階では、越水防止装置２０の内部には水が注入されていないため、各越水防止装置２０は萎んだ状態にある。
【００２７】
続いて、ポンプ（不図示）を用いて、近くを流れる河川１５から取水し、注水口２１ａを介して越水防止装置２０の内部に水を注入する。注水口２１ａから注入された水は、形状保持膜２４に形成された通水孔２４ａを通過して、やがて越水防止装置２０の内に形成された複数の収容空間３０に行き渡るようになる。このように河川１５から取水した水が、越水防止装置２０の内部に取り込まれていくと、越水防止装置２０は、萎んだ状態から徐々に膨らんでいく。やがて越水防止装置２０は、長手方向から見て三角形の形状にまで起立する。このように、内部に水が注入されて越水防止装置２０が徐々に膨らんでいく間、形状保持膜２４はその形成位置で、側膜２１、及び底膜２２のはらみ出しを防止し、越水防止装置２０の断面形状を略三角形とする。そして、越水防止装置２０内が水により満たされたことを確認すると、ポンプによる注入を停止して、注水口２１ａに取り付けられたノズル（図示せず）を閉める。同様に、堤防１０の天端上で接続された複数の越水防止装置２０にも順次、河川水を注入し、越水防止装置２０の設置が完了する。なお、注水口２１ａに取り付けるノズルには注水経路とともに排気経路を設け、注水時における内部空気の排気を行えるようになっている。また、側膜２１の一部に逆止排気弁（不図示）を設けることも好ましい。
【００２８】
このようにして形成される各越水防止装置２０の寸法、及び形状について説明する。越水防止装置２０は、想定される河川１５の水位や流速に加え、越水防止装置２０を設置作業を効率的に行なえるように、その寸法、及び形状が決定されるのが良い。例えば、越水防止装置２０は、起立したときの高さが１m程度、単体の越水防止装置２０の長手方向の長さが５〜１０m程度とすることで、堤防１０天端上での設置及び撤去作業を効率的に行うことができる。また、越水防止装置２０の断面形状は、越水防止装置２０の下面と堤防１０の天端との間の摩擦抵抗が十分にとれ、また、越水防止装置２０が自立した際にバランスがよい正三角形から底辺が斜辺より長い二等辺三角形とすることが好ましい。
【００２９】
続いて、堤防１０の天端に設置された越水防止装置２０の撤去方法について説明する。河川１５の水位が低下し洪水の恐れがなくなったと判断すると、側膜２１の下方にある排水口２１ｂのコックを開き、越水防止装置２０内の水を排出する。望ましくは、排出する水をホース等で河川１５まで導くのがよい。そして、越水防止装置２０内の水が排出されると、ファスナ２５により隣接した越水防止装置２０間の接続を解除する。次に、越水防止装置２０内に残存した水をできるだけ抜いて、保管に適した形状に折り畳み、倉庫に収納する。なお、越水防止装置２０からの排水する際に、排水口２１ｂにポンプ等を接続して強制的に排水してもよい。こうすることで、越水防止装置２０内の水を短時間に排水できるとともに、越水防止装置２０内に残存する水を少なくすることができ、作業効率の向上を図ることができる。
【００３０】
次に、上述した実施形態に係る越水防止装置２０の作用、及び効果について詳述する。上述した側膜２１、底膜２２は、ポリエステル製の織布からなる基布の両面に塩化ビニル樹脂を含浸コーティングによる被覆層を有した、厚さ０．５mmの防水シートからなる。そのため、越水防止装置２０自体も柔軟、かつ軽量である。そのため、越水防止装置２０を使用しない場合は、小さく折り畳んだ状態で倉庫等に保管することが可能である。また、越水防止装置２０が非常に軽量であるため、搬出入や設置作業等の負担を小さくすることができる。
【００３１】
また、越水防止装置２０の内部に注入する水は、近くを流れる河川１５から取水できるため、例えば、越水防止装置２０内を満たすための材料（例えば、土や水等）を別途準備する必要がない。また、越水防止装置２０内の水は河川１５に直接排水できるため、越水防止装置２０内を満たすための材料を処理する特別な設備も必要としない。
【００３２】
また、越水防止装置は、その断面形状が形状保持膜２４により三角形に拘束されるため、越水防止装置２０の下面と堤防１０の天端との間に所定の接触面積が確保されるとともに、越水防止装置２０を所定の高さ位置まで起立させることができる。また、このように接触面積を確保した上で、越水防止装置２０内に満たされた水による重量が載荷されることにより、越水防止装置２０と堤防１０の天端との間に河川の流れに耐えうる十分な摩擦抵抗が得られる。さらに、越水防止装置２０の断面形状が三角形であるため、越水防止装置２０の転がりや転倒の可能性を低くすることができる。そのため、図４に示すように、越水防止装置２０を安定させた状態で堤防１０の天端に設置できる。
【００３３】
また、越水防止装置２０の断面形状を三角形とすることにより、例えば四角形とする場合に比べ、注入する水の量が少なくて済む。そのため、越水防止装置２０の設置作業を敏速に行える。また、転がりや転倒の可能性も小さくすることができる。なお、断面形状は、上述したように、正三角形の場合には底膜２２のシート厚さを厚くして安定性を図ることも好ましく、一方、斜辺としての側膜２１を長くして縦長の二等辺三角形とすると、越水防止高さを高めることができる。
【００３４】
さらに、長手方向に隣接した越水防止装置２０を、側膜２１に設けられた防水性のファスナ２５で接続する構成としているため、簡単かつ敏速に越水防止装置２０を接続していくことができるとともに、接続部における止水性も確保することができる。
【００３５】
なお、図４に示すように、越水防止装置２０をより安定させて設置するため、必要に応じて越水防止装置２０の裾部２０ａをアンカーピン２６で固定してもよい。なお、裾部２０ａに設けるアンカーピン２６用の孔は、熱処理により周縁部が補強されたヒート孔からなる。
【００３６】
次に、本発明の第２の実施形態に係る越水防止装置について説明する。図５は、本発明の第２の実施形態に係る越水防止装置２０を示した斜視図である。本実施形態に係る越水防止装置２０が、上述した第１の実施形態に係る越水防止装置２０と異なる点は、図２に示した越水防止装置２０内に配された形状保持膜２４に変えて、側膜２１の外面に変形防止用の形状保持材２７を取り付けている点にある。なお、他の構成については、上述の越水防止装置２０と同様であるため、詳細な説明を省略するとともに、共通する部材については同じ符号を用いている。
【００３７】
図５に示すように、側膜２１の外面には、越水防止装置２０の三角形状を保持するための複数の形状保持材２７と、この形状保持材２７を収納するための保持材収納袋２８が形成されている。なお、越水防止装置２０の向こう側に形成された側膜にも同様に、形状保持材が取り付けられている。形状保持材２７は、例えば、木、竹、合成樹脂パイプ、金属パイプ等を所定径、長さの棒状に加工したもので、図５に示すように側膜２１の傾斜方向に沿って取り付けられた保持材収納袋２８内に上部開口から挿入され収容されている。
【００３８】
この形状保持材２７は、上述した形状補強膜と同様に、内部に水が注入されることにより越水防止装置２０が徐々に膨らんでいく間、形状保持材２７はその形成位置で、側膜２１のはらみ出しを防止して、越水防止装置２０の断面形状が三角形となるよう越水防止装置２０の変形を拘束する。これにより、越水防止装置２０の断面形状を三角形とすることができる。なお、本実施形態に係る越水防止装置２０の他の作用、効果については、上述した実施形態と同様である。
【００３９】
次に本発明の第３の実施形態に係る越水防止装置４０について説明する。図６は、本発明の第３の実施形態に係る越水防止装置４０を示した斜視図である。また、図７は、本発明の第３の実施形態に係る１つの越水防止装置４０に着目した詳細斜視図である。
【００４０】
図６に示すように、本実施形態においても、複数基の越水防止装置４０が長手方向に接続され、堤防の天端等に設置される。また、上記実施形態と同様に、越水防止装置４０は、側膜４１、底膜４２、及び密閉膜４３が、注水後に長手方向から見て三角形の形状となるようにそれぞれが貼り合わされている。越水防止装置４０を長手方向からみた三角形は、底辺が斜辺よりも長い二等辺三角形であり、例えば、底辺が１．６m、高さが１．３m（有効高さ１mを想定）に設定されている。このように越水防止装置４０の断面形状を、底辺を大きくした二等辺三角形とすることにより、正三角形の断面形状を有する上記第１の実施系形態に係る越水防止装置２０（図１）と比べて、接地面積を大きくすることで、摩擦抵抗を大きくすることができるとともに、重心を低くすることができる。そのため、転がりや転倒および滑動の可能性を低くすることができる。なお、１基の越水防止装置４０の長手方向の長さは例えば４mで、人力で運搬できる重量として約２５kg程度に設定されている。
【００４１】
図６に示すように、越水防止装置４０の図中手前側の側膜４１には、注水口４１ａと、注排水ホース４５と、エア抜き４６と、注水確認窓４７とが設けられている。注水口４１ａは、第１の実施形態と異なり、側膜４１における下側の隅部に設けられている。また、側膜４１における下側のもう一方の隅部には、注排水ホース４５が接続されている。このように、注水口４１ａが側膜４１の上側ではなく下側に設けられていることにより、注水口４１ａに接続されたホースの重量による越水防止装置４０の折れ曲がりが抑制され、スムーズな注水作業が実現される。
【００４２】
注水口４１ａは、サクションホースや消防ホース等が接続可能なホース受口を備えており、接続されたホースから注入された水を越水防止装置４０の内部に導く。
【００４３】
注排水ホース４５は、隣接する越水防止装置４０間を接続して、越水防止装置４０内に注入された水を、隣接する越水防止装置４０へと導く機能を有している。また、越水防止装置４０内に注入された水を外部へと排出するための機能も有している。注排水ホース４５の一端は、越水防止装置４０の内部に通じており、他端は隣接する越水防止装置４０の注水口４１ａに接続可能な接続口が形成されている。図６に示すように、越水防止装置４０の注排水ホース４５を、隣接する越水防止装置４０の注水口４１ａに接続することにより、越水防止装置４０に注入された水は、自動的に隣接する越水防止装置４０内へと導かれる。本実施形態においては、隣接する５基の越水防止装置４０を１セットとして、注排水ホース４５が隣接する越水防止装置４０の注水口４１ａに接続されている。
【００４４】
このように、所定基数の越水防止装置４０の注排水ホース４５と注水口４１ａとを接続することにより、最も端部に配された越水防止装置４０の注水口４１ａから注水することにより、所定基数の越水防止装置４０全体に水を行き渡らせることができる。例えば、図６に示す複数基の越水防止装置４０が各々注排水ホース４５により接続された１セットであるとした場合、最も右側にある越水防止装置４０の注水口４１ａから注水することにより、複数基の越水防止装置４０の内部に水を注入することが可能となる。このように、本実施形態に係る越水防止装置４０では、一度の注水作業で、複数基の越水防止装置４０に水を注入することができ、注水作業を簡略化できるとともに、少数のポンプ等の注水手段で注水作業を完了することができる。
【００４５】
なお、注排水ホース４５に、ホースクリップ４５ａやコック（不図示）を取り付け、注排水ホース４５における水の流路を開閉する手段を取り付けてもよい。これにより、一部の越水防止装置４０に水位低下が生じた場合にも、注排水ホース４５の流路を閉じることにより、他の越水防止装置４０の水位低下を防止することができる。
【００４６】
なお、注排水ホース４５により連続的に接続する越水防止装置４０の基数は必ずしも５基である必要はなく、越水防止装置４０の設置場所や、設置規模等を考慮して、適当な接続数を決定することができる。
【００４７】
なお、越水防止装置４０内には、上述の実施形態と同様に、等間隔に形状保持膜４４が設置されている。この形状保持膜４４は、三角形の頂点の所定範囲がカットされ形成された３箇所の通水孔４４ａを有している。このように、形状保持膜４４の３箇所に通水孔４４ａを設けることにより、越水防止装置４０内部での通水を円滑にすることができる。
【００４８】
エア抜き４６は、越水防止装置４０の内部に通じるパイプであり、側膜４１の上部に設けられている。エア抜き４６は、越水防止装置４０の内に水が注入された場合に、越水防止装置４０内に存在する空気の抜け道となる。また、エア抜き４６は、越水防止装置４０内への注水が完了した後に、さらに注水する必要があると判断した場合に追加の水を注入するための注水口としても利用することができる。
【００４９】
注水確認窓４７は、側膜４１にあけられた円孔に透明のビニルシートが貼りつけられて形成されている。注水確認窓４７は、越水防止装置４０内に注入された水の量を確認するための窓として用いられる。
【００５０】
次に、越水防止装置４０を接続するための構成について説明する。図７は、本発明の第３の実施形態に係る１基の越水防止装置４０に着目した詳細図であり、（ａ）は斜視図、（ｂ）は（ａ）中の“ｂ”部の側面図である。また、図８は、本発明の第３の実施形態に係る越水防止装置４０の接続部に着目した側面図である。
【００５１】
越水防止装置４０には、図６，図７（ａ）に示すように、隣接する越水防止装置４０を接続するためのラダーベルト５０及び面ファスナ５１と、隣接する越水防止装置４０間における漏水を防止する防水ファスナ５２と、底膜４２の端部に溶着された固定用タブ５３とが設けられている。
【００５２】
図７（ａ）に示すように、越水防止装置４０の側膜４１には、短辺４１ｂに沿ってラダーベルト５０及び面ファスナ５１が取り付けられている。このラダーベルト５０、及び面ファスナ５１は、側膜４１の両側の短辺４１ｂ近傍にそれぞれに取り付けられており、短辺４１ｂ側からラダーベルト５０、面ファスナ５１の順に取り付けられている。ラダーベルト５０は、図８に示すように、側膜４１に取り付けるための溶着縁部５０ａと、この溶着縁部５０ａと端縁部５０ｃとの間に編み込まれた多数段の紐体からなるラダー部５０ｂからなる。溶着縁部５０ａは塩化ビニル製溶着面を有し、この部分の熱溶着により、ラダーベルト５０は側膜４１に固定されている。一方、ラダー部５０ｂは、端縁部５０ｃ、側膜４１に溶着されていない。そのため、隣接した越水防止装置４０のそれぞれに取り付けられたラダーベルト５０のうち、近接したラダーベルト５０の端縁部５０ｃ、ラダー部５０ｂをそれぞれ掴むことで、隣接する越水防止装置４０を容易に密着させることができる。このようにして密着された越水防止装置４０のラダー部５０ｂ間は、所定の高さ方向に間隔をあけた結束バンド５４で結束されている。結束バンド５４は、例えば２００mmピッチで取り付けられている。
【００５３】
面ファスナ５１は、ラダーベルト５０に沿って側膜４１に熱溶着されている。面ファスナ５１は、例えばメス型で、防水ファスナ５２に取り付けられた面ファスナ５２aと結合する。
【００５４】
防水ファスナ５２は、例えば、越水防止装置４０の側膜４１等と同材料のシート材から形成されている。防水ファスナ５２は、隣接する越水防止装置４０のそれぞれにラップする幅と、越水防止装置４０の底膜４２の略中央から側膜４１の上辺にまで到達する程度の長さとを有している。防水ファスナ５２には、２本のオス型の面ファスナ５２ａが溶着されている。この２本の面ファスナ５２ａが、隣接する越水防止装置４０に取り付けられた面ファスナ５１と結合することにより、越水防止装置４０の接続部が防水ファスナ５２により覆われ、漏水が防止される。なお後述するように、防水ファスナ５２には、固定用タブ５３に形成されたハトメ５３ｃに対応する箇所にハトメ（不図示）が取り付けられている。
【００５５】
図７（ａ）に示すように、固定用タブ５３は底膜４２に溶着され、その一部が短辺４２ａから突出している。固定用タブ５３は矩形状であり、短辺４２ａの中央部、及び短辺４２ａの両端部近傍の３箇所、１基の越水防止装置４０では、反対の短辺４２ａに取り付けられたものをあわせると、６つの固定用タブ５３が取り付けられている。
【００５６】
なお、底膜４２と固定用タブ５３との溶着は、図７（ｂ）に示すように短辺４２ａまで溶着されている。また、固定用タブ５３には、後述する越水防止装置４０を固定するためのペグ５５が挿入されるハトメ５３ｃが設けられている。固定用タブ５３は、ハトメ５３ｃが短辺４２ａに接するように、短辺４２ａから突出した状態で取り付けられている。
【００５７】
越水防止装置４０に取り付けられた固定用タブ５３は、図８に示したように、隣接する越水防止装置４０の固定用タブ５３のハトメ５３ｃ位置が一致するように重ね合わされる。また、前述したように、防水ファスナ５２に設けられたハトメ（不図示）も、固定用タブ５３のハトメ５３ｃと重ねあわされている。このように重ねあわされたハトメ５３ｃにペグ５５が貫通され、地面５７に打ち込まれ、固定用タブ５３が地面に固定される。なお、ペグの頭部５５ａは、隣接する越水防止装置４０の密閉膜４３の下端の隙間（図８では、下端の隙間を説明するために、ラダーベルト５０で密着された状態において、下端の隙間のみが図示されている。）に位置する。ペグの頭部５５ａがこの隙間に位置するように、ペグ５５はＴ形やＬ形であることが好ましい。このように、ペグ５５が地面５７に打ち込まれていることにより、越水防止装置４０を確実に地面５７に定着させることができる。
【００５８】
また、前述したように、固定用タブ５３のハトメ５３ｃが越水防止装置４０に接する位置に取り付けられているため、図８に示すように、重ね合わされたハトメ５３ｃ位置は越水防止装置４０の接続位置５６と一致する。そのため、隣接する越水防止装置４０を十分に引き付けた状態で地面５７に固定することが可能となる。これにより、隣接する越水防止装置４０を密着させることができ、越水防止装置４０の接続部からの漏水を抑制することができる。
【００５９】
なお、越水防止装置４０を、例えば、河川の堤防の天端に設置する場合、増水した河川水と接する側膜４１は、注排水ホース４５等が設置された面とは反対側の側膜（図６においては、図示されている側膜４１とは反対側の面）とするのがよい。これは、増水した河川の水流により注排水ホース４５が損傷するのを防止するためである。なお、注入口は、河川水と面する側膜に設置してもよい。これにより、河川水からの水の取水を容易に行なうことができる。
【００６０】
本実施形態に係る越水防止装置４０が奏する効果は、第１の実施形態に係る越水防止装置４０と同様である。また、本実施形態に係る越水防止装置４０においては、５基の越水防止装置４０の注排水ホース４５と注水口４１ａとを接続することにより、最も端部に配された越水防止装置４０の注水口４１ａから注水することにより、所定基数の越水防止装置４０全体に水を行き渡らせることができる。そのため、一度の注水作業で、複数基の越水防止装置４０に水を注入することができ、注水作業を簡略化できるとともに、多くのポンプ等の注水手段を準備することなく注水作業を完了させることができる。
【００６１】
次に、第４の実施形態に係る越水防止装置４０について説明する前に、第３の実施形態に係る越水防止装置４０を一例に、内部に水が注入された際の越水防止装置４０の形状について説明する。
【００６２】
図９は、本発明の第３の実施形態に係る越水防止装置４０に水が注入された際の形状を示した図であり、（ａ）は側面図、（ｂ）は平面図である。また、図１０は、本発明の第３の実施形態に係る越水防止装置４０の内部に水が注入された際の、隣接する越水防止装置４０の接続部に着目した側面図である。なお、図９に示した実線は水が充填された越水防止装置４０の実際の形状を示しており、二点鎖線は、越水防止装置４０の理想の形状（越水防止装置４０に膨らみ等が存在しない）を示している。
【００６３】
越水防止装置４０の内部が水により充満されると、越水防止装置４０の内部から外側に向かって水圧が作用する。この水圧は水深が深い越水防止装置４０の下部ほど大きく、上部につれて小さくなる。そのため、内部に水が充填された越水防止装置４０は、図９に示すように、越水防止装置４０の密閉膜４３の下部は外側にはらみだし、上部は内側に引き寄せられることとなる。このような状態で、越水防止装置４０が隣接した状態にすると、図１０に示すように、密閉膜４３の上部が大きく開いた状態となる。このような状態では、隣接する越水防止装置４０間からの漏水を防ぐことはできない。一方、上述の第３の実施形態に係る越水防止装置４０では、越水防止装置４０に溶着されたラダーベルト５０（図８）と、結束バンド５４（図８）とが用いられ、隣接する越水防止装置４０が引き合わせられて密閉膜４３の密着が確保されている。さらに、越水防止装置４０の接続部を覆う防水ファスナ５２も取り付けられており、越水防止装置４０の接続部での漏水が防止されている。
【００６４】
図１１は、本発明の第４の実施形態に係る越水防止装置４０を示した図であり、（ａ）は側面図、（ｂ）は平面図を示している。なお、第４の実施形態に係る越水防止装置４０の基本構成は、第３の実施形態に係る越水防止装置４０と同様のため、図１１中の符号は第３の実施形態を説明した際に用いた符号と同様のものを使用する。
【００６５】
第４の実施形態に係る越水防止装置４０は、密閉膜４３の上部が内側に引き寄せられるという現象を予め考慮され、密閉膜４３の上部を外側に倒れた状態となるように越水防止装置４０は製作されている。すなわち、側膜４１に、上部に向けて外側に傾斜した部位（図中斜線部）を形成することで、予め密閉膜４３を外側に倒れた状態で製作することができる。
【００６６】
このように、越水防止装置４０が、密閉膜４３上部の内側への引き寄せを補償する形で製作されることで、越水防止装置４０への水の注入後も、図１０に示すような密閉膜４３上部の開きが抑制される。これにより、隣接する越水防止装置４０の密閉膜４３同士を十分に密着させることも可能となり、第３の実施形態において説明した連結部材（例えば、ラダーベルト５０（図６）、防水ファスナ５２（図６）等）の取り付けを省略することも可能である。
【００６７】
図１２は、以上に説明した越水防止装置２０，４０（以下、４０）の河川側に設けられた流木対策工の一例を示した側面図である。洪水時（出水時）には河川表面を上流から流木等が流下してくることが考えられる。これら流木等は出水時河川の急な流れに乗って流下するため、流木等が越水防止装置４０の河川側の側膜４１に衝突した場合でも、越水防止装置４０を設置場所からずらす程の力は作用しない。しかし、鋭利な流木が越水防止装置４０の側膜４１の膜材を傷つけ、膜材が破損するおそれが皆無ではない。
【００６８】
そこで、図１２に示したように、越水防止装置４０を設置する際に、河川側に緩衝部を有する流木対策工６０を敷設することが好ましい。この流木対策工６０は、防水ファスナ５２と同等材料からなる防水シート６１の上半部分に不織布からなる緩衝防護面６２が形成された膜材からなる。この流木対策工６０を越水防止装置４０へ取り付けるには、まず流木対策工６０の頂部を、越水防止装置４０の頂部に長手方向に配設されたロープラッキング等の公知の連結部材６３で保持させ、防水シート６１を越水防止装置４０の河川側の側膜４１に沿って垂下させて、その下端が堤頂の一部を覆うように敷設して、端部をペグ６４等で地面に固定する。流木対策工６０を図１２のように設置することにより、出水時に水面付近を流れる流木は、流木対策工６０の緩衝防護面６２に当たり、下流に流れていくので、流木等が衝突しても膜材を傷つけることがない。
【００６９】
本発明は上述した実施形態に限られず、様々な応用が可能である。上述した実施形態では、越水防止装置の形状、越水防止装置の接続手段、水の注水手段等に関して種々の態様について説明したが、越水防止装置の設置場所や規模等を勘案して、これらを適当に組み合わせることが可能である。
【００７０】
また、上述した実施形態では、越水防止装置を堤防の天端に設置する場合について説明したが、設置場所は特に限定されるものではなく様々な場所に設置することができる。例えば、地下街や地下室への出入口、一般家庭における玄関先などに設置することができる。この場合、倉庫等に折り畳んで収納した越水防止装置を設置場所にまで運んで、設置してもよい。また、予め、設置箇所に設けた窪みに折り畳んだ越水防止装置を収納しておき、洪水時に覆いをとって越水防止装置を起立させるようにしてもよい。
【符号の説明】
【００７１】
１０            堤防
１５            河川
２０、４０      越水防止装置
２１、４１      側膜
２１ａ、４１ａ  注水口
２１ｂ          排水口
２２、４２      底膜
２３、４３      密閉膜
２４、４４      形状保持膜
２４ａ、４４ａ  通水孔
２５        ファスナ
２６        アンカーピン
２７        形状保持材
２８        保持材収納袋
４５        注排水ホース４５
４５ａ      ホースクリップ
４６        エア抜き
４７        注水確認窓
５０        ラダーベルト
５１        面ファスナ
５２        防水ファスナ
５２ａ      面ファスナ
５３        固定用タブ
５３ｃ      ハトメ
５４        結束バンド
５５，６４  ペグ
６０        流木対策工
【図１】
2011099315.tif 000003
【図２】
2011099315.tif 000004
【図３】
2011099315.tif 000005
【図４】
2011099315.tif 000006
【図５】
2011099315.tif 000007
【図６】
2011099315.tif 000008
【図７】
2011099315.tif 000009
【図８】
2011099315.tif 000010
【図９】
2011099315.tif 000011
【図１０】
2011099315.tif 000012
【図１１】
2011099315.tif 000013
【図１２】
2011099315.tif 000014